(57)【要約】【課題】配管内面の付着物により、管路遮断のシール性が低下するのを防止する。【解決手段】配管Ｐ内に挿入して膨張させ、その配管Ｐの内面に密接させることにより前記配管Ｐの管路を遮断する袋状のバッグ本体１１と、そのバッグ本体１１を膨張させるために前記バッグ本体１１の内部に流体を供給する流体供給路１３とを備え、前記配管Ｐ内に挿入されるバッグ本体１１の前記管路に沿う一方側にて、前記配管Ｐの内面に付着している付着物Ｄを除去可能な管内面クリーニング装置Ｃを設けてある。【選択図】　　　　図１
2004052935.tif 000002
【特許請求の範囲】
【請求項１】
配管内に挿入して膨張させ、その配管の内面に密接させることにより前記配管の管路を遮断する袋状のバッグ本体と、そのバッグ本体を膨張させるために前記バッグ本体の内部に流体を供給する流体供給路とを備える管路遮断バッグであって、
前記配管内に挿入されるバッグ本体の前記管路に沿う一方側にて、前記配管の内面に付着している付着物を除去可能な管内面クリーニング装置を設けてある管路遮断バッグ。
【請求項２】
前記管内面クリーニング装置を設けるに、
前記配管の内面に接触しながらその配管の周方向に沿って回転移動可能な接触部と、その接触部を駆動回転させる駆動装置とを設け、前記接触部を前記管路に沿って移動可能に構成してある請求項１記載の管路遮断バッグ。
【請求項３】
前記管内面クリーニング装置を設けるに、
前記配管の内面に向けて流体を噴出する噴出ノズルを前記管路に沿って移動可能に設け、その噴出ノズルにより前記配管の周方向に沿って前記付着物を除去可能に構成してある請求項１または２記載の管路遮断バッグ。
【請求項４】
前記管内面クリーニング装置を設けるに、
前記付着物を吸引する吸引ノズルを前記管路に沿って移動可能に設け、その吸引ノズルにより前記配管の周方向に沿って前記付着物を除去可能に構成してある請求項１〜３の何れか１項に記載の管路遮断バッグ。
【請求項５】
前記バッグ本体で前記管路を遮断した状態で、一端側が、前記バッグ本体の前記管路に沿う一方側の配管内に連通する圧力導入路を設け、その圧力導入路の他端側より圧力検出可能に構成してある請求項１〜４の何れか１項に記載の管路遮断バッグ。
【発明の詳細な説明】
【０００１】
【発明の属する技術分野】
本発明は、配管内に挿入して膨張させ、その配管の内面に密接させることにより前記配管の管路を遮断する袋状のバッグ本体と、そのバッグ本体を膨張させるために前記バッグ本体の内部に流体を供給する流体供給路とを備える管路遮断バッグに関する。この管路遮断バッグは、例えば、活管状態のガス導管（配管の一例）にバッグ挿入孔を穿設し、そのバッグ挿入孔経由でガス導管内部へバッグ本体を挿入し、そのバッグ本体内に流体供給路より空気等の流体を注入してバッグ本体を膨張させて、ガス導管内面にバッグ本体を密接させ、そのガス導管の途中部分で管路を遮断して、ガス遮断を行うのに用いられる。
【０００２】
【従来の技術】
従来、この種の管路遮断バッグとしては、単に、前記バッグ本体と前記流体供給路を設けてあるものが用いられている。
【０００３】
【発明が解決しようとする課題】
ところが、ガス導管等の配管の内面には、錆や油脂等のダスト類（以下、単に付着物と称する）が付着していることがある。このようなときに、上述のような従来の管路遮断バッグでは、配管内で膨張させたバッグ本体と配管の内面との間に前記付着物が介在することで、バッグ本体と配管内面との密接性が確保されず、管路遮断におけるシール性が低下するおそれがあり、改善の余地が残されている。
【０００４】
本発明は、上記実情に鑑みてなされたものであって、その目的は、配管内面の付着物により、管路遮断のシール性が低下するのを防止できる管路遮断バッグを提供するところにある。
【０００５】
【課題を解決するための手段】
請求項１記載の発明の特徴構成は、配管内に挿入して膨張させ、その配管の内面に密接させることにより前記配管の管路を遮断する袋状のバッグ本体と、そのバッグ本体を膨張させるために前記バッグ本体の内部に流体を供給する流体供給路とを備える管路遮断バッグであって、
前記配管内に挿入されるバッグ本体の前記管路に沿う一方側にて、前記配管の内面に付着している付着物を除去可能な管内面クリーニング装置を設けてあるところにある。
【０００６】
〔作用効果〕
このような管内面クリーニング装置を設けてあるので、仮に、配管の内面に付着物（例えば、錆や油脂等のダスト類など）が付着しているときであっても、バッグ本体と配管内面との密接性を確保して、管路遮断におけるシール性が低下するのを防止することができる。
つまり、バッグ本体を配管内に挿入した状態にて、管内面クリーニング装置により、そのバッグ本体の配管の管路に沿う一方側において、その配管の内面に付着している付着物を除去することができる。このため、管内面クリーニング装置で付着物を除去した箇所にバッグ本体を挿入配置させて、そのバッグ本体内に流体供給路より流体を注入してバッグ本体を膨張させることで、バッグ本体を配管内面に確実に密接させ、管路遮断のシール性が低下するのを防止できる。
【０００７】
請求項２記載の発明の特徴構成は、上記請求項１記載の特徴構成に加えて、前記管内面クリーニング装置を設けるに、
前記配管の内面に接触しながらその配管の周方向に沿って回転移動可能な接触部と、その接触部を駆動回転させる駆動装置とを設け、前記接触部を前記管路に沿って移動可能に構成してあるところにある。
【０００８】
〔作用効果〕
本特徴構成を備える管路遮断バッグでは、駆動装置により接触部を駆動回転させて、接触部を配管の内面に接触させながらその配管の周方向に沿って回転移動させることができる。すると、配管の内面に付着している付着物に、この回転移動する接触部が衝突することで、その付着物が配管内面より除去されるようになり、配管内面の周方向にわたって付着物を除去できる。そして、接触部を管路に沿って移動させることで、配管の長手方向に沿う所定範囲にわたって、このような接触部の回転移動により付着物を除去できる。
従って、このように付着物が除去された部分に、バッグ本体を挿入配置させることで、バッグ本体を、付着物が介在することなく配管内面に確実に密接させ、管路遮断のシール性を確保できる。
【０００９】
請求項３記載の発明の特徴構成は、上記請求項１または２記載の特徴構成に加えて、前記管内面クリーニング装置を設けるに、
前記配管の内面に向けて流体を噴出する噴出ノズルを前記管路に沿って移動可能に設け、その噴出ノズルにより前記配管の周方向に沿って前記付着物を除去可能に構成してあるところにある。
【００１０】
〔作用効果〕
本特徴構成を備える管路遮断バッグでは、噴出ノズルから配管の内面に向けて噴出される流体によって、付着物が配管内面より吹き飛ばされて除去されるようになり、配管内面の周方向にわたって付着物を除去できる。そして、噴出ノズルを管路に沿って移動させて、配管の長手方向に沿う所定範囲にわたって、噴出ノズルにより付着物を除去できる。
従って、このように付着物が除去された部分に、バッグ本体を挿入配置させることで、バッグ本体を、付着物が介在することなく配管内面に確実に密接させ、管路遮断のシール性を確保できる。
【００１１】
請求項４記載の発明の特徴構成は、上記請求項１〜３の何れかに記載の特徴構成に加えて、前記管内面クリーニング装置を設けるに、
前記付着物を吸引する吸引ノズルを前記管路に沿って移動可能に設け、その吸引ノズルにより前記配管の周方向に沿って前記付着物を除去可能に構成してあるところにある。
【００１２】
〔作用効果〕
本特徴構成を備える管路遮断バッグでは、吸引ノズルの吸引により、配管内面の周方向にわたって付着物を吸引除去できる。そして、吸引ノズルを管路に沿って移動させて、配管の長手方向に沿う所定範囲にわたって、吸引ノズルにより付着物を吸引除去できる。
従って、このように付着物が除去された部分に、バッグ本体を挿入配置させることで、バッグ本体を、付着物が介在することなく配管内面に確実に密接させ、管路遮断のシール性を確保できる。
【００１３】
請求項５記載の発明の特徴構成は、上記請求項１〜４の何れかに記載の特徴構成に加えて、前記バッグ本体で前記管路を遮断した状態で、一端側が、前記バッグ本体の前記管路に沿う一方側の配管内に連通する圧力導入路を設け、その圧力導入路の他端側より圧力検出可能に構成してあるところにある。
【００１４】
〔作用効果〕
本特徴構成を備える管路遮断バッグでは、配管の途中部分で管路を遮断しながら、圧力導入路を利用して配管の漏洩検査を行うことができる。
つまり、バッグ本体で管路を遮断した状態では、そのバッグ本体の管路に沿う一方側の配管内の流体（例えばガス等）が、圧力導入路に導入される。よって、圧力導入路の他端側で、その導入される流体の圧力を検出することで、その一方側の配管内における流体の漏洩の有無について検査を行うことができる。
【００１５】
【発明の実施の形態】
以下に本発明の実施の形態を図面に基づいて説明する。図１〜３の説明図は、本発明に係る管路遮断バッグの一例を、その一使用例とともに例示するものである。
【００１６】
この管路遮断バッグは、図１〜３に示すように、袋状のバッグ本体１１の前方に管内面クリーニング装置Ｃを設けて、配管Ｐ内に挿入されるバッグ本体１１の管路に沿う一方側にて、配管Ｐの内面に付着している付着物Ｄを除去可能に構成されている。
【００１７】
前記バッグ本体１１は、各種ゴムや合成樹脂などで気密な袋状に形成されており、例えば、収縮させた状態にて配管内Ｐに挿入させ、配管内Ｐで膨張させることができるように形成されている。
ここでは、一例として、このバッグ本体１１の後端側に止め金具１２を介して気密に接続される流体供給管（流体供給路に相当）１３に接続される図外の加圧流体供給具から加圧流体を供給することで、バッグ本体１１を膨張可能にしてある。尚、このバッグ本体１１を膨張させるのに供給する加圧流体は、各種気体（例えば、空気や不活性ガス等）や各種液体から任意に選択すればよい。また、前記流体供給管１３は、例えばウレタン樹脂等の合成樹脂等から可撓管に形成してある。
【００１８】
そして、前記管内面クリーニング装置Ｃは、このバッグ本体１１の前後にかけて同心状に貫通する案内管１６を設け、その案内管１６の先端側に備えられている。この案内管１６は、止め金具１２および止め金具１４を介して、バッグ本体１１の後端側および先端側それぞれと気密に接続されている。尚、案内管１６は、例えばウレタン樹脂等の合成樹脂等から、その内部に流体案内路１７を備える中空管に形成されている。
【００１９】
この案内管１６の先端側には、管内面クリーニング装置Ｃの一例として、噴出ノズル２０と、管面打撃具３０とを、管路に沿って並設してあり、管面打撃具３０により付着物を除去すると共に、その管面打撃具３０の後方にて噴出ノズル２０により付着物を吹き飛ばし除去できるようにしてある。
【００２０】
前記噴出ノズル２０は、一端側が、前記案内管１６の流体案内路１７に連通する流体移動路２１を有しており、その流体移動路２１の他端側にて、配管Ｐの内面に向けて流体を噴出可能な噴出口２２が形成されている。よって、図１に例示するように、案内管１６の他端側（後端側）から加圧流体（空気、不活性ガス、液体等）を供給すると、その加圧流体が、流体案内路１７および流体移動路２１を経て、噴出口２２より配管Ｐの内面に向けて噴出されるようになり、付着物を吹き飛ばし除去することができる。因みに、ここでは一例として、図１に示すように、前記噴出口２２を噴出ノズル２０の周方向にわたって複数設けることで、その噴出ノズル２０により配管Ｐの周方向に沿って付着物を除去可能にしてあり、さらに、その噴出口２２を噴出ノズル２０の前後にわたって複数設けて、複数の方向から配管Ｐ内面に向けて流体が噴出されるようにしてある。
【００２１】
そして、本実施形態では、このような噴出ノズル２０の先端側に管面打撃具３０が設けられている。
【００２２】
この管面打撃具３０は、配管Ｐの内面に接触しながらその配管Ｐの周方向に沿って回転移動可能な硬質金属製の管面打撃ローラー（接触部の一例）３１と、その管面打撃ローラ３１を駆動回転させる駆動装置３２とを設けて構成される。
【００２３】
ここでは、図１，２に例示するように、ほぼ矩形の回転体３３を、前記案内管１６と同心状に配置される回転軸３５の回転軸芯Ｘ周りで回転自在に設けると共に、その回転体３３の両端側各々に、前記回転軸芯Ｘから偏心される揺動軸芯Ｙ周りで揺動自在な揺動アーム３４を設けてある。そして、平面視でほぼ円形の管面打撃ローラ３１が、その揺動アーム３４の遊端側に回転自在に取り付けられ、接触部とされている。
尚、図１，２に示すように、各揺動アーム３４は、その先端側が回転体３３中央付近と引張コイルバネｓにより連結されており、回転体３３を回転させない非クリーニング時には、この引張コイルバネｓの引っ張り応力で、各揺動アーム３４が回転体３３側に引き寄せられ、外形が小さくなるように折り畳められて、配管Ｐ内への挿入や移動を簡便に行えるようにしてある（図３参照）。
【００２４】
前記回転体３３は、その中央箇所が、前記駆動装置３２にて回転される回転軸３５に固定されており、駆動装置３２の駆動回転により配管Ｐの周方向に沿って回転する。よって、駆動装置３２の駆動回転により回転体３３が回転することで、その遠心力によって管面打撃ローラ３１は、旋回し、配管Ｐの内面に接触しながら配管Ｐの周方向に回転移動するようになる（図２参照）。
【００２５】
尚、この駆動装置３２は、各種駆動モータを用いればよいが、ここでは一例として、図１に例示するように、案内管１６より噴出ノズル２０に供給される加圧流体を利用して、回転軸３５を駆動回転するようにしてある。つまり、駆動装置３２では、図外のハウジング内に、逆止弁３８を介し所定圧力（例えば０．１ＭＰａ）以上にて、噴出ノズル２０の流体移動路２１を経て加圧流体が供給可能に構成され、そのハウジング内に供給される加圧流体によって複数のベーンを備えるロータ３９が回転し、そのロータ３９の回転により回転軸３５が回転されるようにしてある。
【００２６】
次に、このように構成される管路遮断バッグの一使用例について説明する。
まず、図１に示すように、配管内Ｐに管路遮断バッグを挿入して、例えば、バッグ本体１１を配管内径の９０％程度まで膨張させた状態とする。そして、案内管１６を利用し管路に沿ってバッグ本体１１及び管内面クリーニング装置Ｃを前後に移動させながら、管面打撃具３０により管面打撃ローラー３１を付着物に除去させて付着物を除去すると共に、その管面打撃具３０の後方にて噴出ノズル２０により付着物を吹き飛ばし除去する。そして、図３に例示するように、付着物が除去された箇所にバッグ本体１１を挿入配置し、膨張させることで、バッグ本体１１を配管Ｐの内面に確実に密接させて、管路遮断のシール性が低下するのを防止できる。
【００２７】
そして、図３に示すように、バッグ本体１１にて管路を遮断した状態にて、本実施形態では、噴出ノズル２０の流体移動路２１及び案内管１６の流体案内路１７を利用して、バッグ本体１１の管路に沿う一方側の配管Ｐ１内の漏洩検査を行うことができる。
つまり、流体移動路２１及び流体案内路１７が、圧力導入路ｅに相当し、例えば、配管Ｐ１内に充填される流体（例えば、ガス等の気体や水等の液体）が、噴出口２２から流体移動路２１内に導入され、流体案内路１７へと案内される。すると、案内管１６の他端側（後端側）に、任意の手段により、水柱ゲージ等の圧力検知具４０を接続することで、噴出口２２から流体移動路２１と流体案内路１７を経て導入される流体の圧力を配管Ｐの外側から検知し、配管Ｐ１にて漏洩の有無の検査を行うことができる。尚、この圧力検知具４０は、前記加圧流体供給具に取り替えて案内具１６に接続したり、または、圧力検知具４０と前記加圧流体供給具とを切換使用可能に案内具１６に接続したりすればよい。
【００２８】
〔別実施形態〕
以下に他の実施形態を説明する。
〈１〉　接触部３１は、先の実施形態で説明した管面打撃ローラーに限らず、配管の内面に接触しながらその配管の周方向に沿って回転移動可能なものであれば如何なるものでもよく、例えば、配管の内面に向けて弾性的に圧接しながら配管の周方向に沿って回転するスクレーパでもよい。
【００２９】
〈２〉　先の実施形態では、噴射ノズル２０と管面打撃具３０とを設けて、管内面クリーニング装置Ｃを構成する例を示したが、噴射ノズル２０または管面打撃具３０の一方だけを設けて、管内面クリーニング装置Ｃとしてもよい（例えば、図４参照）。
また、先の実施形態では、一例として、噴出口２２を噴出ノズル２０の周方向にわたって複数設ける例を示したが、例えば、図示しないが、噴出口を単数設け噴出ノズルを周方向に回転自在に設けたり、または、噴出口を噴出ノズルの外周側にわたる環状のものに形成するなどして、噴出ノズル２０により配管Ｐの周方向に沿って付着物を除去可能にしてあってもよい。
【００３０】
〈３〉　また、図示しないが、管内面クリーニング装置Ｃとして、付着物を吸引する吸引ノズルを管路に沿って移動可能に設け、その吸引ノズルにより配管の周方向に沿って付着物を除去可能に構成してあってもよい。このときには、例えば、先の実施形態における流体移動路の他端側を吸引口とすることで、噴出ノズルと同様にして吸引ノズルを設け、案内管の他端側に流体吸引装置を接続可能に設ければよい。
【００３１】
〈４〉　また、先の実施形態では、流体案内路１７を圧力導入路ｅとして兼用するものを一例として説明したが、例えば、図４に例示するように、案内管１６内に、圧力導入管４２を挿通し、その一端側が案内管１６の途中部分にて外部に露出するように形成するとともに、その他端側に圧力検知具４０を接続するようにしてあってもよい。尚、図４に例示するものでは、一例として、バッグ本体１１を２つ設け、それらバッグ本体１１にて管路を遮断し、２つのバッグ本体１１間の配管部分Ｐ２の圧力を検出可能にしてある。
【００３２】
〈５〉　尚、本発明に係る管路遮断バッグは、ガス導管に限らず、各種気体が通流する配管や、水等の各種液体が通流する配管に用いてもよい。そして、管内面クリーニング装置を備えるバッグ本体は、配管を切断したり、配管にバッグ挿入孔を形成し分岐管を接続するなど、任意の手段により配管内へ挿入すればよい。
【図面の簡単な説明】
【図１】本発明の一実施形態を示す説明図
【図２】管内面クリーニング装置の一例による付着物の除去状況を説明する断面図
【図３】圧力導入路を用いた圧力検出の一状況を説明する断面図
【図４】本発明の別実施形態を示す説明図
【符号の説明】
１１　　バッグ本体
１３　　流体供給路
２０　　噴出ノズル
３１　　接触部
３２　　駆動装置
４０　　圧力検知具
Ｃ　　　管内面クリーニング装置
Ｄ　　　付着物
Ｐ　　　配管
ｅ　　　圧力導入路
【図１】
2004052935.tif 000003
【図２】
2004052935.tif 000004
【図３】
2004052935.tif 000005
【図４】
2004052935.tif 000006